(57)【特許請求の範囲】
【請求項１】
ディスク媒体にアドレス情報を記録する記録装置において、
モノトーンビット、第１のシンクビット、モノトーンビット、第２のシンクビット、モノトーンビット、第３のシンクビット、モノトーンビット、および第４のシンクビットの順で配置された同期信号、アドレスデータ、並びに前記アドレスデータのエラー訂正符号から構成される前記アドレス情報を発生する発生手段と、
発生された前記アドレス情報に対応する位相変調信号を生成する変調手段と、
スパイラル状であって、かつ、生成された前記位相変調信号に対応してウォブリングさせたグルーブを前記ディスク媒体に形成する形成手段と
を備える記録装置。
【請求項２】
前記ディスク媒体は、光ディスクである
請求項１に記載の記録装置。
【請求項３】
ディスク媒体にアドレス情報を記録する記録装置の記録方法において、
モノトーンビット、第１のシンクビット、モノトーンビット、第２のシンクビット、モノトーンビット、第３のシンクビット、モノトーンビット、および第４のシンクビットの順で配置された同期信号、アドレスデータ、並びに前記アドレスデータのエラー訂正符号から構成される前記アドレス情報を発生する発生ステップと、
発生された前記アドレス情報に対応する位相変調信号を生成する変調ステップと、
スパイラル状であって、かつ、生成された前記位相変調信号に対応してウォブリングさせたグルーブを前記ディスク媒体に形成する形成ステップと
を含む記録方法。
【請求項４】
ディスク媒体にアドレス情報を記録する記録装置の制御用のプログラムであって、
モノトーンビット、第１のシンクビット、モノトーンビット、第２のシンクビット、モノトーンビット、第３のシンクビット、モノトーンビット、および第４のシンクビットの順で配置された同期信号、アドレスデータ、並びに前記アドレスデータのエラー訂正符号から構成される前記アドレス情報を発生する発生ステップと、
発生された前記アドレス情報に対応する位相変調信号を生成する変調ステップと、
スパイラル状であって、かつ、生成された前記位相変調信号に対応してウォブリングさせたグルーブを前記ディスク媒体に形成する形成ステップと
を含む処理を記録装置のコンピュータに実行させるプログラムが記録されている記録媒体。
【請求項５】
ディスク媒体にアドレス情報を記録する処理を制御するコンピュータに、
モノトーンビット、第１のシンクビット、モノトーンビット、第２のシンクビット、モノトーンビット、第３のシンクビット、モノトーンビット、および第４のシンクビットの順で配置された同期信号、アドレスデータ、並びに前記アドレスデータのエラー訂正符号から構成される前記アドレス情報を発生する発生ステップと、
発生された前記アドレス情報に対応する位相変調信号を生成する変調ステップと、
スパイラル状であって、かつ、生成された前記位相変調信号に対応してウォブリングさせたグルーブを前記ディスク媒体に形成する形成ステップと
を含む処理を実行させるプログラム。
【請求項６】
モノトーンビット、第１のシンクビット、モノトーンビット、第２のシンクビット、モノトーンビット、第３のシンクビット、モノトーンビット、および第４のシンクビットの順で配置された同期信号、アドレスデータ、並びに前記アドレスデータのエラー訂正符号から構成されるアドレス情報が位相変調されてグルーブのウォブルとして形成されているディスク媒体から、前記アドレスデータを再生する再生装置において、
前記ディスク媒体にレーザ光を照射する照射手段と、
前記ディスク媒体からの反射光を受光して、前記反射光に対応する反射光信号を生成する受光手段と、
生成された前記反射光信号に基づき、前記グルーブの前記ウォブルに対応するウォブル信号を生成する生成手段と、
生成された前記ウォブル信号を復調して、前記第１乃至第４のシンクビットを含む前記同期信号、前記アドレスデータ、および前記アドレスデータの前記エラー訂正符号から構成される前記アドレス情報を復元する復元手段と、
復元された前記アドレス情報の前記同期信号に含まれる前記第１乃至第４のシンクビットのうち、少なくとも１つを検出する検出手段と、
検出された前記シンクビットの位置に基づき、前記アドレス情報から前記アドレスデータおよび前記アドレスデータの前記エラー訂正符号を取得する取得手段と、
取得された前記アドレスデータおよび前記アドレスデータの前記エラー訂正符号を用いて前記アドレスデータを再生する再生手段と
を備える再生装置。
【請求項７】
前記ディスク媒体は、光ディスクである
請求項６に記載の再生装置。
【請求項８】
検出された前記シンクビットの位置に基づいてクロック信号を発振する発振手段を
さらに含む請求項６に記載の再生装置。
【請求項９】
モノトーンビット、第１のシンクビット、モノトーンビット、第２のシンクビット、モノトーンビット、第３のシンクビット、モノトーンビット、および第４のシンクビットの順で配置された同期信号、アドレスデータ、並びに前記アドレスデータのエラー訂正符号から構成されるアドレス情報が位相変調されてグルーブのウォブルとして形成されているディスク媒体から、前記アドレスデータを再生する再生装置の再生方法において、
前記ディスク媒体にレーザ光を照射する照射ステップと、
前記ディスク媒体からの反射光を受光して、前記反射光に対応する反射光信号を生成する受光ステップと、
生成された前記反射光信号に基づき、前記グルーブの前記ウォブルに対応するウォブル信号を生成する生成ステップと、
生成された前記ウォブル信号を復調して、前記第１乃至第４のシンクビットを含む前記同期信号、前記アドレスデータ、および前記アドレスデータの前記エラー訂正符号から構成される前記アドレス情報を復元する復元ステップと、
復元された前記アドレス情報の前記同期信号に含まれる前記第１乃至第４のシンクビットのうち、少なくとも１つを検出する検出ステップと、
検出された前記シンクビットの位置に基づき、前記アドレス情報から前記アドレスデータおよび前記アドレスデータの前記エラー訂正符号を取得する取得ステップと、
取得された前記アドレスデータおよび前記アドレスデータの前記エラー訂正符号を用いて前記アドレスデータを再生する再生ステップと
を含む再生方法。
【請求項１０】
モノトーンビット、第１のシンクビット、モノトーンビット、第２のシンクビット、モノトーンビット、第３のシンクビット、モノトーンビット、および第４のシンクビットの順で配置された同期信号、アドレスデータ、並びに前記アドレスデータのエラー訂正符号から構成されるアドレス情報が位相変調されてグルーブのウォブルとして形成されているディスク媒体から、前記アドレスデータを再生する再生装置の制御用のプログラムであって、
前記ディスク媒体にレーザ光を照射する照射ステップと、
前記ディスク媒体からの反射光を受光して、前記反射光に対応する反射光信号を生成する受光ステップと、
生成された前記反射光信号に基づき、前記グルーブの前記ウォブルに対応するウォブル信号を生成する生成ステップと、
生成された前記ウォブル信号を復調して、前記第１乃至第４のシンクビットを含む前記同期信号、前記アドレスデータ、および前記アドレスデータの前記エラー訂正符号から構成される前記アドレス情報を復元する復元ステップと、
復元された前記アドレス情報の前記同期信号に含まれる前記第１乃至第４のシンクビットのうち、少なくとも１つを検出する検出ステップと、
検出された前記シンクビットの位置に基づき、前記アドレス情報から前記アドレスデータおよび前記アドレスデータの前記エラー訂正符号を取得する取得ステップと、
取得された前記アドレスデータおよび前記アドレスデータの前記エラー訂正符号を用いて前記アドレスデータを再生する再生ステップと
を含む処理を再生装置のコンピュータに実行させるプログラムが記録されている記録媒体。
【請求項１１】
モノトーンビット、第１のシンクビット、モノトーンビット、第２のシンクビット、モノトーンビット、第３のシンクビット、モノトーンビット、および第４のシンクビットの順で配置された同期信号、アドレスデータ、並びに前記アドレスデータのエラー訂正符号から構成されるアドレス情報が位相変調されてグルーブのウォブルとして形成されているディスク媒体から、前記アドレスデータを再生する処理を制御するコンピュータに、
前記ディスク媒体にレーザ光を照射する照射ステップと、
前記ディスク媒体からの反射光を受光して、前記反射光に対応する反射光信号を生成する受光ステップと、
生成された前記反射光信号に基づき、前記グルーブの前記ウォブルに対応するウォブル信号を生成する生成ステップと、
生成された前記ウォブル信号を復調して、前記第１乃至第４のシンクビットを含む前記同期信号、前記アドレスデータ、および前記アドレスデータの前記エラー訂正符号から構成される前記アドレス情報を復元する復元ステップと、
復元された前記アドレス情報の前記同期信号に含まれる前記第１乃至第４のシンクビットのうち、少なくとも１つを検出する検出ステップと、
検出された前記シンクビットの位置に基づき、前記アドレス情報から前記アドレスデータおよび前記アドレスデータの前記エラー訂正符号を取得する取得ステップと、
取得された前記アドレスデータおよび前記アドレスデータの前記エラー訂正符号を用いて前記アドレスデータを再生する再生ステップと
を含む処理を実行させるプログラム。
【請求項１２】
スパイラル状であって、かつ、モノトーンビット、第１のシンクビット、モノトーンビット、第２のシンクビット、モノトーンビット、第３のシンクビット、モノトーンビット、および第４のシンクビットの順で配置された同期信号、アドレスデータ、並びにアドレスデータのエラー訂正符号から構成されるアドレス情報に対応する位相変調信号に対応してウォブリングされたグルーブが形成されている
ディスク媒体。
【請求項１３】
前記ディスク媒体は、光ディスクである
請求項１２に記載のディスク媒体。
【発明の詳細な説明】
【０００１】
【発明の属する技術分野】
本発明は、記録装置および方法、再生装置および方法、記録媒体、プログラム、並びにディスク媒体に関し、特に、ディスク媒体に対してウォブリングさせたグルーブを形成することにより、アドレス情報を記録できるようにした記録装置および方法、再生装置および方法、記録媒体、プログラム、並びにディスク媒体に関する。
【０００２】
【従来の技術】
従来、光ディスク、磁気ディスク、光磁気ディスクのようなディスク媒体には、トラッキングを行うためにスパイラル状にグルーブが形成されている。また、グルーブをアドレス情報に対応してウォブリング(wobbling)させることによってアドレス情報を記録することが知られている。
【０００３】
記録されるアドレス情報は、アドレスの開始位置を示す同期信号、およびアドレスそのものを示すアドレスデータから構成される。アドレス情報には、アドレスデータのためのエラー訂正符号が含まれることがある。
【０００４】
【発明が解決しようとする課題】
しかしながら、アドレス情報を構成する他方の同期信号には、そのデータ長に余裕がないことなどに起因してエラー訂正符号を付加することができない。アドレス情報のうちの同期信号を正確に再生することができなければ、エラー訂正符号が付加されているアドレスデータも再生することができない。換言すれば、アドレス情報のエラーレートは、アドレス情報のうちの同期信号を正確に再生することができるか否かに依存している。したがって、アドレス情報のうちの同期信号を正確に再生する方法の確立が望まれる。
【０００５】
本発明はこのような状況に鑑みてなされたものであり、アドレス情報の同期信号を正確に再生できるようにすることにより、任意のアドレスに素早く正確にアクセスできるようにすることを目的とする。
【０００６】
【課題を解決するための手段】
本発明の記録装置は、モノトーンビット、第１のシンクビット、モノトーンビット、第２のシンクビット、モノトーンビット、第３のシンクビット、モノトーンビット、および第４のシンクビットの順で配置された同期信号、アドレスデータ、並びにアドレスデータのエラー訂正符号から構成されるアドレス情報を発生する発生手段と、発生されたアドレス情報に対応する位相変調信号を生成する変調手段と、スパイラル状であって、かつ、生成された位相変調信号に対応してウォブリングさせたグルーブをディスク媒体に形成する形成手段とを備える。
【０００７】
前記ディスク媒体には、光ディスクを用いることができる。
【０００９】
本発明の記録方法は、モノトーンビット、第１のシンクビット、モノトーンビット、第２のシンクビット、モノトーンビット、第３のシンクビット、モノトーンビット、および第４のシンクビットの順で配置された同期信号、アドレスデータ、並びにアドレスデータのエラー訂正符号から構成されるアドレス情報を発生する発生ステップと、発生されたアドレス情報に対応する位相変調信号を生成する変調ステップと、スパイラル状であって、かつ、生成された位相変調信号に対応してウォブリングさせたグルーブをディスク媒体に形成する形成ステップとを含む。
【００１０】
本発明の第１の記録媒体は、モノトーンビット、第１のシンクビット、モノトーンビット、第２のシンクビット、モノトーンビット、第３のシンクビット、モノトーンビット、および第４のシンクビットの順で配置された同期信号、アドレスデータ、並びにアドレスデータのエラー訂正符号から構成されるアドレス情報を発生する発生ステップと、発生されたアドレス情報に対応する位相変調信号を生成する変調ステップと、スパイラル状であって、かつ、生成された位相変調信号に対応してウォブリングさせたグルーブをディスク媒体に形成する形成ステップとを含む処理を記録装置のコンピュータに実行させるプログラムが記録されている。
【００１１】
本発明の第１のプログラムは、モノトーンビット、第１のシンクビット、モノトーンビット、第２のシンクビット、モノトーンビット、第３のシンクビット、モノトーンビット、および第４のシンクビットの順で配置された同期信号、アドレスデータ、並びにアドレスデータのエラー訂正符号から構成されるアドレス情報を発生する発生ステップと、発生されたアドレス情報に対応する位相変調信号を生成する変調ステップと、スパイラル状であって、かつ、生成された位相変調信号に対応してウォブリングさせたグルーブをディスク媒体に形成する形成ステップとを含む処理をコンピュータに実行させる。
【００１２】
本発明の再生装置は、モノトーンビット、第１のシンクビット、モノトーンビット、第２のシンクビット、モノトーンビット、第３のシンクビット、モノトーンビット、および第４のシンクビットの順で配置された同期信号、アドレスデータ、並びにアドレスデータのエラー訂正符号から構成されるアドレス情報が位相変調されてグルーブのウォブルとして形成されているディスク媒体から、アドレスデータを再生する再生装置において、ディスク媒体にレーザ光を照射する照射手段と、ディスク媒体からの反射光を受光して、反射光に対応する反射光信号を生成する受光手段と、生成された反射光信号に基づき、グルーブのウォブルに対応するウォブル信号を生成する生成手段と、生成されたウォブル信号を復調して、第１乃至第４のシンクビットを含む同期信号、アドレスデータ、およびアドレスデータのエラー訂正符号から構成されるアドレス情報を復元する復元手段と、復元されたアドレス情報の同期信号に含まれる第１乃至第４のシンクビットのうち、少なくとも１つを検出する検出手段と、検出されたシンクビットの位置に基づき、アドレス情報からアドレスデータおよびアドレスデータのエラー訂正符号を取得する取得手段と、取得されたアドレスデータおよびアドレスデータのエラー訂正符号を用いてアドレスデータを再生する再生手段とを備える。
【００１３】
前記ディスク媒体には、光ディスクを用いることができる。
【００１４】
本発明の再生装置は、検出されたシンクブロックの位置に基づいてクロック信号を発振する発振手段をさらに含むことができる。
【００１５】
本発明の再生方法は、モノトーンビット、第１のシンクビット、モノトーンビット、第２のシンクビット、モノトーンビット、第３のシンクビット、モノトーンビット、および第４のシンクビットの順で配置された同期信号、アドレスデータ、並びにアドレスデータのエラー訂正符号から構成されるアドレス情報が位相変調されてグルーブのウォブルとして形成されているディスク媒体から、アドレスデータを再生する再生装置の再生方法において、ディスク媒体にレーザ光を照射する照射ステップと、ディスク媒体からの反射光を受光して、反射光に対応する反射光信号を生成する受光ステップと、生成された反射光信号に基づき、グルーブのウォブルに対応するウォブル信号を生成する生成ステップと、生成されたウォブル信号を復調して、第１乃至第４のシンクビットを含む同期信号、アドレスデータ、およびアドレスデータのエラー訂正符号から構成されるアドレス情報を復元する復元ステップと、復元されたアドレス情報の同期信号に含まれる第１乃至第４のシンクビットのうち、少なくとも１つを検出する検出ステップと、検出されたシンクビットの位置に基づき、アドレス情報からアドレスデータおよびアドレスデータのエラー訂正符号を取得する取得ステップと、取得されたアドレスデータおよびアドレスデータのエラー訂正符号を用いてアドレスデータを再生する再生ステップとを含む。
【００１６】
本発明の第２の記録媒体は、モノトーンビット、第１のシンクビット、モノトーンビット、第２のシンクビット、モノトーンビット、第３のシンクビット、モノトーンビット、および第４のシンクビットの順で配置された同期信号、アドレスデータ、並びにアドレスデータのエラー訂正符号から構成されるアドレス情報が位相変調されてグルーブのウォブルとして形成されているディスク媒体から、アドレスデータを再生する再生装置の制御用のプログラムであって、ディスク媒体にレーザ光を照射する照射ステップと、ディスク媒体からの反射光を受光して、反射光に対応する反射光信号を生成する受光ステップと、生成された反射光信号に基づき、グルーブのウォブルに対応するウォブル信号を生成する生成ステップと、生成されたウォブル信号を復調して、第１乃至第４のシンクビットを含む同期信号、アドレスデータ、およびアドレスデータのエラー訂正符号から構成されるアドレス情報を復元する復元ステップと、復元されたアドレス情報の同期信号に含まれる第１乃至第４のシンクビットのうち、少なくとも１つを検出する検出ステップと、検出されたシンクビットの位置に基づき、アドレス情報からアドレスデータおよびアドレスデータのエラー訂正符号を取得する取得ステップと、取得されたアドレスデータおよびアドレスデータのエラー訂正符号を用いてアドレスデータを再生する再生ステップとを含む処理を再生装置のコンピュータに実行させるプログラムが記録されている。
【００１７】
本発明の第２のプログラムは、モノトーンビット、第１のシンクビット、モノトーンビット、第２のシンクビット、モノトーンビット、第３のシンクビット、モノトーンビット、および第４のシンクビットの順で配置された同期信号、アドレスデータ、並びにアドレスデータのエラー訂正符号から構成されるアドレス情報が位相変調されてグルーブのウォブルとして形成されているディスク媒体から、アドレスデータを再生する処理を制御するコンピュータに、ディスク媒体にレーザ光を照射する照射ステップと、ディスク媒体からの反射光を受光して、反射光に対応する反射光信号を生成する受光ステップと、生成された反射光信号に基づき、グルーブのウォブルに対応するウォブル信号を生成する生成ステップと、生成されたウォブル信号を復調して、第１乃至第４のシンクビットを含む同期信号、アドレスデータ、およびアドレスデータのエラー訂正符号から構成されるアドレス情報を復元する復元ステップと、復元されたアドレス情報の同期信号に含まれる第１乃至第４のシンクビットのうち、少なくとも１つを検出する検出ステップと、検出されたシンクビットの位置に基づき、アドレス情報からアドレスデータおよびアドレスデータのエラー訂正符号を取得する取得ステップと、取得されたアドレスデータおよびアドレスデータのエラー訂正符号を用いてアドレスデータを再生する再生ステップとを含む処理をコンピュータに実行させる。
【００１８】
本発明のディスク媒体は、スパイラル状であって、かつ、モノトーンビット、第１のシンクビット、モノトーンビット、第２のシンクビット、モノトーンビット、第３のシンクビット、モノトーンビット、および第４のシンクビットの順で配置された同期信号、アドレスデータ、並びにアドレスデータのエラー訂正符号から構成されるアドレス情報に対応する位相変調信号に対応してウォブリングされたグルーブが形成されている。
【００１９】
前記ディスク媒体には、光ディスクを用いることができる。
【００２０】
本発明の記録装置および方法、並びに第１のプログラムにおいては、モノトーンビット、第１のシンクビット、モノトーンビット、第２のシンクビット、モノトーンビット、第３のシンクビット、モノトーンビット、および第４のシンクビットの順で配置された同期信号、アドレスデータ、並びにアドレスデータのエラー訂正符号から構成されるアドレス情報が発生され、発生されたアドレス情報に対応する位相変調信号が生成される。さらに、スパイラル状であって、かつ、生成された位相変調信号に対応してウォブリングさせたグルーブがディスク媒体に形成される。
【００２１】
本発明の再生装置および方法、並びに第２のプログラムにおいては、ディスク媒体にレーザ光が照射され、ディスク媒体からの反射光が受光されて反射光に対応する反射光信号が生成され、生成された反射光信号に基づき、グルーブのウォブルに対応するウォブル信号が生成される。また、生成されたウォブル信号が復調されて、第１乃至第４のシンクビットを含む同期信号、アドレスデータ、並びにアドレスデータのエラー訂正符号から構成されるアドレス情報が復元され、復元されたアドレス情報の同期信号を成す複数のシンクブロックのうち、少なくとも１つが検出される。さらに、検出されたシンクブロックの位置に基づき、アドレス情報からアドレスデータおよびアドレスデータのエラー訂正符号が取得され、取得されたアドレスデータおよびアドレスデータのエラー訂正符号を用いてアドレスが再生される。
【００２３】
【発明の実施の形態】
図１は、本発明の一実施の形態であるアドレス記録装置の構成例を示している。当該アドレス記録装置は、光ディスクの製造時において、図２に示すように、トラッキングのためにスパイラル状であって、かつ、図３に示すように、アドレス情報に対応してウォブリングさせたグルーブを光ディスクに形成するものである。
【００２４】
当該アドレス記録装置において、アドレス発生部１は、光ディスク５に記録する同期信号、アドレスデータ、およびアドレスデータのエラー訂正符号から成るアドレス情報（２進数のディジタルデータ）を発生し、２値信号ａ（ｔ）に変換して変調部３に出力する。なお、アドレス情報を構成するディジタルデータ”１”は２値信号ａ（ｔ）＝１に変換され、ディジタルデータ”０”は２値信号ａ（ｔ）＝−１に変換される。以下、２進数のディジタルデータであるアドレス情報が変換された２値信号ａ（ｔ）を、アドレス情報ａ（ｔ）とも記述する。
【００２５】
キャリア信号生成部２は、アドレス情報をのせるキャリア信号ｘ（ｔ）＝cosθ（ｔ）を生成して変調部３に出力する。
【００２６】
変調部３は、アドレス発生部１から入力されるアドレス情報ａ（ｔ）に、キャリア信号生成部２から入力されるキャリア信号ｘ（ｔ）＝cosθ（ｔ）を乗算することによってキャリア信号ｘ（ｔ）を位相変調し、得られるアドレス情報に対応する位相変調信号ｙ（ｔ）＝ａ（ｔ）・cosθ（ｔ）をウォブル形成部４に出力する。上述したように、アドレス情報は、”１”または”−１”を示す２値信号であるので、位相変調信号ｙ（ｔ）は、キャリア信号ｘ（ｔ）と同位相となり、ｙ（ｔ）＝ｘ（ｔ）＝cosθ（ｔ）となるか、またはキャリア信号ｘ（ｔ）の逆位相となり、ｙ（ｔ）＝−ｘ（ｔ）＝−cosθ（ｔ）となる。
【００２７】
ウォブル形成部４は、スパイラル状に、かつ、変調部３から入力される位相変調信号ｙ（ｔ）に従ってウォブリングさせたグルーブを光ディスク５に形成する。
【００２８】
制御部６は、ドライブ７を制御して、磁気ディスク８、光ディスク９、光磁気ディスク１０、または半導体メモリ１１に記憶されている制御用プログラムを読み出し、読み出した制御用プログラムに基づいてアドレス記録装置の全体を制御する。
【００２９】
図４は、光ディスク５の記録再生クラスタRUB(Read Unit Block)に対応して記録されるアドレス情報の構造を示している。記録再生クラスタRUBには、２つのアドレス情報(ADIP：Address In Pre-groove)が記録される。８３ビットよりなる１つのアドレス情報は、同期信号を示す８ビットのシンクパート(SYNC)と、アドレスデータおよびそのエラー訂正符号を示す７５ビットのデータパート(Data)からなる。
【００３０】
１ビットの情報は、４２ウォブル（４２周期分のウォブル）として光ディスク５に形成される。４２ウォブルからなる１ビットは、図５（Ａ）に示すように、同位相のウォブルが連続するモノトーンビット(monotone bit)と、図５（Ｂ）に示すように、モノトーンビットではない（４２ウォブルの期間に位相変調が生じている）ADIPビット等に分類される。
【００３１】
図６は、８ビットのシンクパートの構造を示している。同図に示すように、シンクパートは、１ビットのモノトーンビットと、１ビットのシンクビット(Sync bit)からなる４個のシンクブロック”１”乃至シンクブロック”４”から構成される。
【００３２】
１ビット（４２ウォブル）のシンクビットは、図７に示すように、１２ウォブルのシンクユニットと、３０ウォブルのモノトーン（連続する同位相のウォブル）からなる。
【００３３】
図７（Ａ）乃至（Ｄ）は、それぞれシンクブロック”１”乃至シンクブロック”４”に対応するウォブル、すなわち、位相変調信号ｙ（ｔ）を示している。同図、並びに以降の図面および説明において、上向きの矢印↑は、キャリア信号と同位相の位相変調信号、すなわち、位相変調信号ｙ（ｔ）＝cosθ（ｔ）の１周期のウォブルを示し、下向きの矢印↓は、キャリア信号と逆位相の位相変調信号、すなわち、位相変調信号ｙ（ｔ）＝−cosθ（ｔ）の１周期のウォブルを示している。
【００３４】
シンクブロック”１”のシンクユニット（１２ウォブル）は、図７（Ａ）に示すような第１のシンクユニットパターン”↓↓↑↑↓↓↑↑↑↑↑↑”のウォブルとして形成される。シンクブロック”２”のシンクユニット（１２ウォブル）は、図７（Ｂ）に示すような第２のシンクユニットパターン”↓↓↑↑↑↑↓↓↑↑↑↑”のウォブルとして形成される。シンクブロック”３”のシンクユニット（１２ウォブル）は、図７（Ｃ）に示すような第３のシンクユニットパターン”↓↓↑↑↑↑↑↑↓↓↑↑”のウォブルとして形成される。シンクブロック”４”のシンクユニット（１２ウォブル）は、図７（Ｄ）に示すような第４のシンクユニットパターン”↓↓↑↑↑↑↑↑↑↑↓↓”のウォブルとして形成される。
【００３５】
８ビットのシンクパートには、上述した第１乃至第４のパターンの全てが含まれることになるが、再生時においては、第１乃至第４のパターンのうちの少なくとも１つを再生することができれば、シンクパートの位置を確定できる、すなわち、アドレス情報を正確に再生することが可能となる。
【００３６】
図８は、７５ビットのデータパートの構造を示している。同図に示すように、データパートは、１ビットのモノトーンビットと、４ビットのADIPビットから成る１５個のADIPブロック”１”乃至ADIPブロック”１５”から構成される。
【００３７】
図９（Ａ）は、１ビットのモノトーンビットに対応するウォブル、すなわち、位相変調信号ｙ（ｔ）を示している。
【００３８】
図９（Ｂ）は、１個のADIPブロックを構成する４ビットのADIPビットのうちの１ビットのADIPビットに対応するウォブル、すなわち、位相変調信号ｙ（ｔ）を示している。アドレス情報のうちのアドレスデータの１ビットのディジタルデータ”１”に相当するADIPビット（４ウォブル）は、第１のADIPユニットパターン”↓↓↑↑”のADIPユニットと、それに続く３８ウォブルのモノトーンとして形成される。ディジタルデータ”０”に相当するADIPビット（４ウォブル）は、第２のADIPユニットパターン”↑↑↓↓”のADIPユニットと、それに続く３８ウォブルのモノトーンとして形成される。
【００３９】
図１０は、アドレスデータおよびそのエラー訂正符号を示している。２８ビット（＝７ニブル(nibble)）のアドレスデータに対して、３２ビット（＝８ニブル）のエラー訂正符号(Parity)が付加される。なお、２８ビットのアドレスデータの内訳は、２０ビットのRUB番号、２ビットのRUBアドレス番号、および２ビットの多層ディスク用の情報、および４ビットのリザーブである。エラー訂正方式は、ニブルベースのリードソロモン符号ＲＳ（１５，７，９）が用いられる。
【００４０】
次に、当該アドレス記録装置のアドレス記録処理について、図１１のフローチャートを参照して説明する。
【００４１】
ステップＳ１において、アドレス発生部１は、光ディスク５に記録する同期信号、アドレスデータ、およびアドレスデータのエラー訂正符号から成るアドレス情報を発生し、２値信号ａ（ｔ）に変換して変調部３に出力する。それと同時に、キャリア信号生成部２は、アドレス情報をのせるキャリア信号ｘ（ｔ）＝cosθ（ｔ）を生成して変調部３に出力する。
【００４２】
ステップＳ２において、変調部３は、アドレス発生部１から入力されたアドレス情報ａ（ｔ）に、キャリア信号生成部２から入力されたキャリア信号ｘ（ｔ）＝cosθ（ｔ）を乗算することにより、アドレス情報に対応する位相変調信号ｙ（ｔ）＝ａ（ｔ）・cosθ（ｔ）を生成してウォブル形成部４に出力する。
【００４３】
ステップＳ３において、ウォブル形成部４は、スパイラル状に、かつ、変調部３から入力された位相変調信号ｙ（ｔ）に従ってウォブリングさせたグルーブを光ディスク５に形成する。
【００４４】
以上説明したように、当該アドレス記録装置によるアドレス記録処理によれば、同期信号に異なる４種類のシンクユニットパターンを包含させたアドレス情報をグルーブのウォブルとして光ディスク５に記録することが可能である。
【００４５】
次に、図１２は、上述した当該アドレス記録装置により、アドレス情報がグルーブのウォブルとして記録されている光ディスク５に対し、任意のデータを記録し、また再生する光ディスクドライブの構成例を示している。
【００４６】
当該光ディスクドライブにおいて、制御回路２１は、記録媒体２２に記録されている制御用プログラムに基づいて光ディスクドライブの各部を制御する。具体的には、ＡＶインタフェース２３を介して外部のＡＶ機器等（不図示）から入力される記録コマンドに対応して光ディスクドライブの各部を制御し、ＡＶ機器等から入力される記録データに対応するマークを光ディスク５に記録させる。また、ＡＶインタフェース２３を介して外部のＡＶ機器等から入力される再生コマンドに対応し、光ディスクドライブの各部を制御して光ディスク５に記録されているマークを読み出して記録データを再生させ、ＡＶインタフェース２３を介して外部のＡＶ機器等に出力させる。
【００４７】
スピンドル回路２４は、制御回路２１から指令に基づいてスピンドルモータ２６の回転を制御する。サーボ回路２５は、制御回路２１から指令されるアドレスに光ピックアップ２７をシークさせるとともに、光学ヘッド回路２８から入力されるフォーカスエラー信号およびトラッキングエラー信号に基づいて、光ピックアップ２７のフォーカスサーボおよびトラッキングサーボを制御する。スピンドルモータ２６は、スピンドル回路２４からの制御に基づいて光ディスク５を回転駆動する。
【００４８】
レーザ出力系、反射光受光系、２軸アクチュエータ等よりなる光ピックアップ２７は、記録時において、光学ヘッド回路２８からの制御に基づき、光ディスク５にレーザ光を照射することによってマークを形成する。また、光ピックアップ２７は、記録再生時において、光ディスク５にレーザ光を照射し、その反射光を受光して対応する反射光信号を生成し、光学ヘッド回路２８に出力する。
【００４９】
光学ヘッド回路２８は、記録時において、記録再生回路２９から入力されるヘッダ信号、または記録補償された２値化信号に対応して光ピックアップ２７のレーザ出力を制御する。光学ヘッド回路２８は、再生時において、光ピックアップ２７からの反射光信号に基づいて、光ディスク５に記録されているエンボスピットやマークに対応するＲＦ信号を生成して記録再生回路２９に出力する。さらに、光学ヘッド回路２８は、記録再生時において、光ピックアップ２７からの反射光信号に基づいて、フォーカスエラー信号、およびトラッキングエラー信号を生成してサーボ回路２５に出力し、ｐｐ信号を生成してウォブル回路３２に出力する。
【００５０】
記録再生回路２９は、制御回路２１からの制御に基づき、記録時において、変復調回路３０からの２値化信号を記録補償して光学ヘッド回路２８に供給する。さらに、記録再生回路２９は、再生時において、光学ヘッド回路２８からのＲＦ信号を２値化データに変換し、変復調回路３０に供給する。
【００５１】
変復調回路３０は、制御回路２１からの制御に基づき、記録時において、エラー訂正回路３１から入力されるエラー訂正符号付きの記録データを変調し、得られる２値化信号を記録再生回路２９に出力する。また、変復調回路３０は、再生時において、記録再生回路２９からの２値化信号を復調し、得られる再生データをエラー訂正回路３１に出力する。
【００５２】
エラー訂正回路３１は、制御回路２１からの制御に基づき、記録時において、ＡＶインタフェース２３を介して外部のＡＶ機器等から供給される記録データにECC(Error Correction Code)を付加して変復調回路３０に出力する。また、エラー訂正回路３１は、再生時において、変復調回路３０から入力される再生データの誤りをECCに基づいて訂正し、ＡＶインタフェース２３を介して外部のＡＶ機器等に出力する。
【００５３】
ウォブル回路３２は、光学ヘッド回路２８から入力されるｐｐ信号に基づいてグルーブのウォブルに対応するウォブル信号（位相変調信号ｙ（ｔ）に相当する）を生成し、ウォブル信号ｙ（ｔ）からアドレス情報ａ（ｔ）を復元してアドレスデコーダ・タイミングジェネレータ(DEC・TG)３３に出力する。
【００５４】
アドレスデコーダ・タイミングジェネレータ３３は、ウォブル回路３２から入力されるアドレス情報ａ（ｔ）から、シンクパートに含まれる４種類のシンクユニットパターンのうち、少なくとも１つを検出することによってシンクパートの位置を検知し、それに続くデータパートのアドレスデータおよびそのエラー訂正符号を用いてアドレスを生成し、制御回路２１に出力する。また、アドレスデコーダ・タイミングジェネレータ３３は、検知したシンクパートに基づいてタイミング信号を生成し、制御回路２１を介して光ディスクドライブの各回路に供給する。
【００５５】
ウォブル回路３２によるウォブル信号からアドレス情報を復元する処理について、図１３のフローチャートを参照して説明する。このアドレス情報復元処理は、光ディスク５に対して任意のデータを記録するとき、および光ディスク５に記録されているデータを再生するときに実行される。
【００５６】
ステップＳ１１において、ウォブル回路３２は、光学ヘッド回路２８から入力されたｐｐ信号に基づいてグルーブのウォブルに対応するウォブル信号、すなわち、図１４（Ａ）に示すような位相変調信号ｙ（ｔ）を生成する。
【００５７】
ステップＳ１２において、ウォブル回路３２は、位相変調信号ｙ（ｔ）＝ａ（ｔ）・cosθ（ｔ）から、図１４（Ｂ）に示すようなキャリア信号ｘ（ｔ）＝cosθ（ｔ）を抽出し、位相変調信号ｙ（ｔ）にキャリア信号ｘ（ｔ）を乗算して信号ｚ（ｔ）を生成する。
ｚ（ｔ）＝ａ（ｔ）・cos2θ（ｔ）＝ａ（ｔ）・（cos２θ（ｔ）＋１）／２
【００５８】
ステップＳ１３において、ウォブル回路３２は、内蔵するローパスフィルタによって信号ｚ（ｔ）の高域のノイズ成分を除去し、ステップＳ１４において、ノイズ成分を除去した信号ｚ（ｔ）を２値化して、図１４（Ｄ）に示すようなアドレス情報ａ（ｔ）を復元する。以上、ウォブル回路３２によるアドレス情報復元処理の説明を終了する。
【００５９】
以上説明したように、当該光ディスクドライブによれば、シンクパートに含まれる４種類のシンクユニットパターンのうち、少なくとも１つを検出することによってシンクパートの位置を検知することができる。これにより、シンクパートに続くデータパートのアドレスデータおよびそのエラー訂正符号を取得することができ、それらを用いてアドレスを生成することができるので、記録再生時のアドレスエラーレートを改善することができ、かつ、光ディスク５の任意のアドレスに素早く正確にアクセスすることができるようになる。
【００６０】
ところで、上述したアドレス記録装置の変調部３においては、アドレス情報ａ（ｔ）を位相変調し、得られる位相変調信号に対応してウォブリングさせたグルーブを光ディスク５に形成するようにしたが、アドレス情報ａ（ｔ）をＦＭ変調（周波数変調）し、得られるＦＭ変調信号に対応してウォブリングさせたグルーブを光ディスク５に形成するようにしてもよい。
【００６１】
具体的には、例えば、図１５に示すように、アドレス情報ａ（ｔ）＝１である場合、キャリア信号と同一の周波数であって同位相のＦＭ変調信号が生成され、アドレス情報ａ（ｔ）＝０である場合、キャリア信号の１／２の周波数であって同位相のＦＭ変調信号が生成される。
【００６２】
ＦＭ変調が用いられた場合においても、１ビットの情報は、図１６に示すように、キャリア信号と同一の周波数であって同位相のウォブルが４２ウォブル連続するモノトーンビット(monotone bit)と、モノトーンビットではない（キャリア信号に換算して４２ウォブルの期間にＦＭ変調が生じている）ADIPビット等に分類される。
【００６３】
アドレス情報ａ（ｔ）のＦＭ変調信号に対応してウォブリングされたグルーブが形成されている光ディスク５を再生する光ディスクドライブにおいては、読み出されるウォブル信号にＦＭ復調処理が施されてアドレス情報が復元される。
【００６４】
なお、本発明は、光ディスク５だけでなく、あらゆる種類のディスク媒体にアドレス情報を記録し、それを再生する場合に適用することが可能である。
【００６５】
上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【００６６】
この記録媒体は、図１に示すように、コンピュータとは別に、ユーザにプログラムを提供するために配布される、プログラムが記録されている磁気ディスク８（フロッピディスクを含む）、光ディスク９（CD-ROM(Compact Disc-Read Only Memory)、DVD(Digital Versatile Disc)を含む）、光磁気ディスク１０（ＭＤ(Mini Disc)を含む）、もしくは半導体メモリ１１などよりなるパッケージメディアにより構成されるだけでなく、コンピュータに予め組み込まれた状態でユーザに提供される、プログラムが記録されているROMやハードディスクなどで構成される。
【００６７】
なお、本明細書において、記録媒体に記録されるプログラムを記述するステップは、記載された順序に従って時系列的に行われる処理はもちろん、必ずしも時系列的に処理されなくとも、並列的あるいは個別に実行される処理をも含むものである。
【００６８】
【発明の効果】
以上のように、本発明の記録装置および方法、並びに第１のプログラムによれば、同期信号の位置を正確に検知できるようなアドレス情報をディスク媒体に記録することが可能となる。
【００６９】
また、本発明の再生装置および方法、並びに第２のプログラムによれば、任意のアドレスに素早く正確にアクセスすることが可能となる。
【００７０】
本発明のディスク媒体によれば、任意のアドレスに素早く正確にアクセスすることが可能となる。
【図面の簡単な説明】
【図１】本発明の一実施の形態であるアドレス記録装置の構成例を示すブロック図である。
【図２】スパイラル状に形成されるグルーブについて説明するための図である。
【図３】グルーブのウォブルについて説明するための図である。
【図４】記録再生クラスタRUBに対応するアドレス情報(ADIP)の構造を示す図である。
【図５】モノトーンビットとADIPビットを示す図である。
【図６】８ビットのシンクパートの構造を示す図である。
【図７】シンクパートに含まれる４種類のシンクユニットパターンを示す図である。
【図８】７５ビットのデータパートの構造を示す図である。
【図９】２種類のADIPユニットパターンを示す図である。
【図１０】アドレスデータのエラー訂正符号について説明するための図である。
【図１１】アドレス記録装置のアドレス記録処理を説明するフローチャートである。
【図１２】光ディスク５からアドレス情報を再生する光ディスクドライブの構成例を示すブロック図である。
【図１３】ウォブル回路３２によるアドレス情報復元処理を説明するフローチャートである。
【図１４】アドレス情報復元処理を説明するための図である。
【図１５】アドレス情報に対するＦＭ変調の一例を説明するための図である。
【図１６】ＦＭ変調が用いられた場合におけるモノトーンビットと、ADIPビットにそれぞれ対応するウォブルを示す図である。
【符号の説明】
１  アドレス発生部，  ２  キャリア信号生成部，  ３  変調部，  ４  ウォブル形成部，  ５  光ディスク，  ６  制御部，  ７  ドライブ，  ８  磁気ディスク，  ９  光ディスク，  １０  光磁気ディスク，  １１  半導体メモリ，２１  制御回路，  ２２  記録媒体，  ３２  ウォブル回路
【図１】
0005170605.tif 000002
【図２】
0005170605.tif 000003
【図３】
0005170605.tif 000004
【図４】
0005170605.tif 000005
【図５】
0005170605.tif 000006
【図６】
0005170605.tif 000007
【図７】
0005170605.tif 000008
【図８】
0005170605.tif 000009
【図９】
0005170605.tif 000010
【図１０】
0005170605.tif 000011
【図１１】
0005170605.tif 000012
【図１２】
0005170605.tif 000013
【図１３】
0005170605.tif 000014
【図１４】
0005170605.tif 000015
【図１５】
0005170605.tif 000016
【図１６】
0005170605.tif 000017